(57)【要約】      （修正有）【課題】手の届かない天井面のような高所に対しても壁面から一定の距離をもった直線を精度良くけがくことが可能なけがき器具を提供する。【解決手段】支持棒１と、該支持棒の端部に装着され、マーキング材３を固定可能とされたマーキング材支持部材２と、支持棒上に装着され支持棒の幅よりも長い長さを有し、その長手方向の両端は支持棒の幅よりも外側に存在せしめることが可能とされている支持棒支持部材４とから構成される。【選択図】図１
0003225917.tif 000002
【実用新案登録請求の範囲】
【請求項１】
支持棒と、該支持棒の端部に装着され、マーキング材を固定可能とされたマーキング材支持部材と、前記支持棒上に装着され前記支持棒の幅よりも長い長さを有し、その長手方向の両端は前記支持棒の幅よりも外側に存在せしめることが可能とされている支持棒支持部材とを少なくとも有するけがき器具。
【請求項２】
前記支持棒支持部材は、回動可能に支持棒に装着され、かつ、その長手方向の両端が前記支持棒の幅よりも外側の位置で固定可能とされている請求項１記載のけがき器具。
【請求項３】
支持棒上の１点と、前記支持棒支持部材の両端部とに少なくとも装着され、同時に面に接して摺動可能に構成されている摺動部材を有する請求項１または２に記載のけがき器具。
【請求項４】
前記マーキング材支持部材は、マーキング材のホルダーと、該マーキング材のホルダーをマーキング材支持部材の任意の位置に固定可能とされたマーキング材ホルダー基部とを含む請求項１〜３の何れかに記載のけがき器具。
【請求項５】
前記マーキング材支持部材は、前記支持棒に重なるように折り曲げ可能に装着されている請求項１〜４の何れかに記載のけがき器具。
【請求項６】
前記支持棒はその長さを調節可能に構成されている請求項１〜５の何れかに記載のけがき器具。
【考案の詳細な説明】
【技術分野】
【０００１】
本考案は、天井などの高所の面に壁面から一定距離のけがき線を線引きするのに適したけがき器具に関する。
【背景技術】
【０００２】
マンションなどの集合住宅の内装工事時に断熱材の敷設が天井に対して施される。その際、その位置決めのために、けがき線を引いて施工を行うことが多い。天井は人の背丈では届かないので、従来から、脚立をかけて２人の作業者がのぼり、墨壺に浸した糸を天井に当てることでけがき線を引く操作を繰り返し行っている。脚立の昇り降りや墨壺でのけがき線の線引きを繰り返し行うことは作業効率上好ましいといえるものではなく、また、作業者の安全上の観点からも好ましいものではない。また、墨壺によるけがき線の線引きは区間を区切って繰り返し行わざるを得ず、精度面、すなわち、けがき線を全体としてみたとき綺麗な直線状に描かれないことがあるという問題もあった。
【０００３】
天井にけがき線を引くことが行われる作業として、照明器具の取り付けがあり、照明器具の取り付け孔を簡便に描くためのけがき器具が知られている（特許文献１）。
【先行技術文献】
【特許文献】
【０００４】
【特許文献１】公開実用新案昭５３−１３５７００号マイクロフィルム
【考案の概要】
【考案が解決しようとする課題】
【０００５】
しかしながら、上記特許文献１であげたけがき器具では、天井の一点を中心とした狭い範囲でけがき線を引くことができるに過ぎず、壁面から一定の距離を隔てた箇所に連続したけがき線を引くことはできない。
【０００６】
そこで、本考案では、床面あるいは地上面から天井などの高所に存在する面に対して、壁面などの一定の基準面から一定の距離離れた位置に正確かつ簡便にけがき線を線引きできるけがき器具を提供することを課題とする。
【課題を解決するための手段】
【０００７】
上記した課題は、支持棒と、該支持棒の端部に装着され、マーキング材を固定可能とされたマーキング材支持部材と、前記支持棒上に装着され前記支持棒の幅よりも長い長さを有し、その長手方向の両端は前記支持棒の幅よりも外側に存在せしめることが可能とされている支持棒支持部材とを少なくとも有するけがき器具によれば、解決することができる。
【０００８】
また、本考案は種々の改良された態様を提供するものである。
【考案の効果】
【０００９】
本考案によれば、床面あるいは地上面から離れた天井などの高所に存在する面であっても、壁面などの一定の基準面から一定の距離離れた位置に正確かつ簡便にけがき線を線引きすることができる。
【図面の簡単な説明】
【００１０】
【図１】本考案に係るけがき器具の一態様を説明する三面図である。
【図２】本考案に係るけがき器具の一態様において、支持棒上の一点および支持棒支持部材の両端部に装着可能な摺動部材の例を説明するための上面図および側面図である。
【図３】本考案に係るけがき器具の一態様において支持棒支持部材の回動操作を説明するための斜視図である。
【図４】マーキング材をマーキング材ホルダーとマーキング材ホルダー基部とで支持する態様を説明する斜視図および断面図である。
【図５】本考案に係るけがき器具の図１とは異なる他の態様を示す図である。
【図６】目盛が付与された本発明の考案に係るけがき器具の態様を示す図である。
【考案を実施するための形態】
【００１１】
図面を参照しつつ、本考案について具体的に説明する。但し、本考案は図面に示された態様に限定して解釈されるものではない。
【００１２】
図１は、本考案のけがき器具の一態様を示している。本考案のけがき器具は支持棒１と、該支持棒の端部に装着され、マーキング材３を固定可能とされたマーキング材支持部材２と、前記支持棒上に装着され前記支持棒の幅よりも長い長さを有し、その長手方向の両端は前記支持棒の幅よりも外側に存在せしめることが可能とされている支持棒支持部材４とを有している。
【００１３】
本発明の考案において、支持棒１、マーキング材支持部材２、支持棒支持部材４といった各パーツを構成する材料は、実用上の強度を有するものであればその材質に特に制限はなく用いることができる。例えば、アルミニウム、マグネシウムおよび鉄ならびにそれらと他の金属との合金などの金属材料、木材、硬質プラスチックなどが挙げられる。中では、比重が小さく、また、錆びにくいアルミ合金、あるいは、マグネシウム合金を用いることが好ましく、また、コストの面ではステンレスを用いることが好ましい。また、けがき器具としての機能を損なわない限りにおいて、軽量化のために中空のものを用いても構わない。
【００１４】
支持棒１は、マーキング材支持部材２を支持する役割を果たすと共に、天井などの線引きすべき面までの高さを補う役割を果たしている。作業者は支持棒１のマーキング材支持部材２が設けられた側とは反対側の端部を持つことで床面や地上面から離れた天井などの面に対しても線引き作業を行うことができる。当該箇所には把持を容易かつ確実なものとするための滑り止め具などを適宜装着することができる。また、支持棒１はモノリシックな態様でも良いが、図１に示すように中空の部材１ａに他の支持棒の部材１ｂが挿入されて伸縮自在な態様とすることができる。このような態様とすることで、支持棒１をコンパクトに収容できて持ち運びにおいて有利であるし、また、支持棒１の長さの調節が容易である。なお、中空の支持棒の部材１ａと他の支持棒の部材１ｂとの固定を行いあるいは解放する固定部材は図示していないが、固定と解放の作用を有するものであれば、ネジや梃子の原理を利用して固定部材を押当てるレバー式固定具による固定など、特に制限なく用いることができる。
【００１５】
なお、本考案において、「端部」とは、厳密な意味で末端を意味するものでは無く、末端から数センチ、把持部に関しては１０〜３０センチ、程度の領域を意味する。
【００１６】
支持棒１の断面の形状（外形）は、特に制限はなく、円形や楕円形でも良ければ多角形でも構わない。操作性や作業性の観点からは、後述する支持棒支持部材や摺動部材が装着される支持棒の部分は、けがき器具を沿わせて掃引する壁面などの一定の基準面に対して平行な面を有していることが好ましく、また、支持棒において作業者が把持する部分は持ちやすい太さあるいは形状に成形されていることが好ましい。なお、支持棒１の作業者が把持する部分は、ハンドルのような形状のように、両手を用いて把持できるような構造としても構わない。
【００１７】
マーキング材支持部材２は、支持棒１の端部に装着され、マーキング材を固定可能とされている。支持棒１の端部への装着手段は、けがき線の線引き時に線が揺らがない程度にマーキング材支持部材２を固定できれば特に制限はない。例えば、支持棒１に嵌合せしめる態様、留め具による固定、図１に図示するような固定部材５を用いる態様、溶着・溶接による固定などが挙げられる。中では、図１に示すように、前記支持棒に重なるように折り曲げ可能とされ、固定部材５で固定する態様が使用しないときの収容において有利であるので好ましい。図１の態様では、固定部材５の両端は支持棒１とマーキング材支持部材２に各々回転軸を持った固定具で接続され、その中央部で折り曲げ可能とされ、使用時は折り曲げ状態を展開し、展開した状態を固定して支持棒１とマーキング材支持部材２の位置関係を固定することができる。なお、固定部材５は別体の部材として準備し、使用時には固定部材５の両端を支持棒１とマーキング材支持部材２の各々の固定位置に嵌め合わせる等の固定方法で固定しても構わない。
【００１８】
また、マーキング材の固定方法・手段はけがき線の線引き時にマーキング材が動かない程度に固定できるのであれば特に制限はない。例えば、マーキング材支持部材２の天井などの線引きすべき面と向かい合う側の面に穿孔し、マーキング材を該孔に嵌め込む態様（図５を参照）、また、図１および図４に示すように、天井などの線引きすべき面と向かい合う面となる面に溝を穿ったマーキング材ホルダー基部２ｂと該マーキングホルダー基部２ｂに設けられた溝内をスライド可能に構成され、かつ、マーキング材３を把持可能なマーキング材のホルダー（マーキング材ホルダー２ａ）とを含む構成として、図示しない固定材でマーキングホルダー２ａを固定して用いる態様が挙げられる。この態様は、任意の位置にマーキング材３を位置決めできるので、好ましい。
【００１９】
なお、図１においては、支持棒１とマーキング支持部材２は直交するような位置関係で固定される態様が示されているが、本考案は係る態様に限定されず、天井などの線引きすべき面が傾斜している等の状況に応じて、支持棒１とマーキング支持部材２とがなす角度を鈍角とすることが可能である。この目的のため、図１に示される支持棒１とマーキング材支持部材２とを繋ぐ固定部材６はその長さ、または支持棒１上若しくはマーキング材支持部材２の固定位置、を調節可能に構成されていることが望ましい。なお、本考案にあっては、支持棒１とマーキング支持部材２とがなす角度を鋭角とする態様を排除するものではない。
【００２０】
本考案に用いることのできるマーキング材３は、天井などの線引きすべき面に線引き可能であればその態様・手段に特に制限は無く、鉛筆、チョーク、フェルトペン、ボールペン、ノズル及びノズルからインクを吐出させる手段、レーザー刻印機などが挙げられる。また、天井などの線引きすべき面を傷つけても良いのであれば、針で彫刻して線引きすることもできる。中では、鉛筆、チョーク、フェルトペンを用いることが簡便である。
【００２１】
本考案に係るけがき器具は、好ましく、支持棒１および／またはマーキング材支持部材２に目盛が設けられていることが好ましい（図６参照）。作業者は係る目盛を利用すれば簡便にけがき線を線引きすることができる。
【００２２】
本考案に係るけがき器具は、前記支持棒１上に装着され前記支持棒の幅よりも長い長さを有し、その長手方向の両端は前記支持棒の幅よりも外側に存在せしめることが可能とされている支持棒支持部材４を備えている。係る支持棒支持部材４は、図１に示すように、使用時には展開されて、壁面などの一定の基準面に対して平行な面にけがき器具を沿わせて掃引し、線引きする際に、支持棒１が回転し、線引きが前記壁面などの一定の基準面からの一定距離からずれることを防止する作用を有する。すなわち、支持棒１のみではけがき器具の壁面などの一定の基準面に接する部分は点での接触となるか、極めて幅の狭い面での接触となってしまい、安定的な線引きをはかることができないところ、支持棒支持部材４を用いることによって、幅の広い面接触あるいは掃引方向の幅が広い三点支持以上の点接触を実現することができて、安定的なけがき線の線引きを可能とするのである。
【００２３】
係る観点から、支持棒支持部材４の長さは長い方、すなわちその端部が前記支持棒の幅よりも外側の遠い位置に存在せしめることができる構成とすることが好ましい。一方で、余りに長すぎると作業性を損なうことがあるので、支持棒支持部材４の長さは支持棒の長さの１／３以下とすることが好ましい。
【００２４】
本考案において、支持棒支持部材４は、図１や図３に示されるように、支持棒状の点を中心に回動可能とされていることが好ましい。回動可能とされていることで、不使用時は支持棒１に沿わせる位置に回動させて固定することで収容をコンパクトなものとできる。また、本考案のけがき器具は、支持棒支持部材を別体にして、使用時に取りつけて用いることも可能であるし、予めで支持棒上に支持棒支持部材が固定されたものであっても構わない。また、支持棒支持部材４を支持棒状の点を中心に回動可能とした場合に、支持棒支持部材４は固定することができるように構成することが好ましい。固定の手段は支持棒支持部材４が固定できるのであれば特に制限は無く、ネジや嵌め合いの固定具などの手段が挙げられる。また、回動させて後の固定位置は必ずしも支持棒支持部材４と支持棒１とが直交する位置に限定されるものではなく、作業性や操作性に応じて、任意の角度を持たせて固定することが可能である。
【００２５】
支持棒支持部材４を装着する支持棒１上の場所は、作業性や操作性に応じて、任意に設定できる。不使用時の収納を容易とするためには、支持棒１の中央部からマーキング材支持部材２に向かって支持棒１の長さの１／２程度、好ましく１／３程度、の間の領域とすることが好ましい。
【００２６】
また、支持棒支持部材４は、図１や図３に示される如く支持棒状の点を中心に回動可能とされている場合、支持棒１（１ｂ）の厚みを、支持棒支持部材４の回動範囲において、支持棒支持部材４の厚み分薄く構成すると、収容時に支持棒１（１ａ）内に収容可能とできるので、有利である。
【００２７】
また、本考案においては、壁面などの一定の基準面に対してけがき器具を沿わせて掃引して線引きするときにスムースな線引きを可能とするため、図１に示すように、支持棒１上の１点と、前記支持棒支持部材４の両端部に少なくとも装着され、かつ、同時に壁面などの一定の基準面に接して摺動可能に配置された摺動部材（図１では、６ａ〜６ｄの４箇所に配置）を有することが望ましい。摺動部材は、壁面などの一定の基準面からの摩擦力を軽減できるものであれば特に制限は無く、フッ素系樹脂フィルム、フッ素系樹脂繊維フェルト、セラミックチップ、などの静的な摩擦力低減手段が挙げられるが、動的な摩擦力低減手段、例えば、キャスター、特には図２に示すようなボールキャスター、を用いることが好ましい。摺動部材の装着位置は相互に離れた位置であるほど点接触した点を結んで得られる多角形の幅および長さを大きくすることができ、好ましい。個々の摺動部材間の距離は１０ｃｍ以上とすることが好ましく、さらに好ましくは２０ｃｍ以上、また、可能であれば、３０ｃｍ以上とすることが好ましい。上限は、操作性に支障が出ないのであれば特に限定されないが、支持棒１の長さおよび支持棒支持部材４の長さに制約されることは自明である。
【００２８】
また、摺動部材は、図１に示すように、支持棒１上に２個以上、支持棒支持部材４上に２個以上装着し、かつ、支持棒１上の摺動部材を結ぶ線と支持棒支持部材４上の摺動部材を結ぶ線とが交差するように装着することが好ましい。このように摺動部材を装着することで、掃引時の支持棒１の水平方向への回転や鉛直方向への回転を阻害して安定なけがき線の線引きを実現することができる。
【００２９】
また、図示していないが、さらに、支持棒１の頂部に天井などの線引きすべき面に面して摺動部材を装着することもでき、このようにすることで、さらに安定な線引きが可能となる。この際、摺動部材の先端は水平面を基準としてマーキング材の先端位置にあわせるか、先端を超えない位置とすることが好ましい。
【００３０】
また、図５および図６は様々な本考案の実施の態様を示している。個々の説明は割愛するが、上記の説明を参照すれば自ずと理解できるであろう。
【符号の説明】
【００３１】
１  ：  支持棒
１ａ：  中空の支持棒の部材
１ｂ：  他の支持棒の部材
２  ：マーキング材支持部材
２ａ：マーキング材ホルダー
２ｂ：マーキング材ホルダー基部
３  ：マーキング材
４  ：支持棒支持部材
５  ：固定部材
６、６ａ〜６ｄ  ：摺動部材
【図１】
0003225917.tif 000003
【図２】
0003225917.tif 000004
【図３】
0003225917.tif 000005
【図４】
0003225917.tif 000006
【図５】
0003225917.tif 000007
【図６】
0003225917.tif 000008